【手続補正書】
【提出日】平成17年11月2日(2005.11.2)
【手続補正１】
【補正対象書類名】明細書
【補正対象項目名】特許請求の範囲
【補正方法】変更
【補正の内容】
【特許請求の範囲】
【請求項１】  カラーの自然画像を複数の画素で表現した画像データを取得する画像データ取得工程と、
シャープさに影響を与える複数の補間処理と色調によって適度なシャープさとなるような色調と補間処理とを対応づけるとともに、補間される画素の色調に基づいてこの対応関係から選択される所定の補間処理を実行する色調対応画素補間工程と、
補間された画像データを出力する画像データ出力工程とを実行することを特徴とする画像データ補間方法。
【請求項２】  上記請求項１に記載の画像データ補間方法において、上記色調対応画素補間工程では、
シャープさに影響を与える複数の補間処理と色調によって適度なシャープさとなるような色調と補間処理との対応関係を取得する補間処理選択基準取得工程と、
補間される画素の色調に基づいて上記補間処理選択基準取得工程にて対応する補間処理を取得して実行する画素補間工程とを実行することを特徴とする画像データ補間方法。
【請求項３】  上記請求項１または請求項２のいずれかに記載の画像データ補間方法において、上記色調対応画素補間工程では、シャープさに影響を与える複数の補間処理を重ねて実行するとともに各処理で負担する補間倍率を調整して所望のシャープさとすることを特徴とする画像データ補間方法。
【請求項４】  上記請求項１〜請求項３のいずれかに記載の画像データ補間方法において、上記色調対応画素補間工程では、パラメータによってシャープさに対する影響度が異なる補間処理を実行するとともにこのパラメータを調整して所望のシャープさとなるようにすることを特徴とする画像データ補間方法。
【請求項５】  上記請求項１〜請求項４のいずれかに記載の画像データ補間方法において、上記色調対応画素補間工程では、ざらついた感じが好まれない色領域に対して画像を滑らかな感じにする補間処理を実行することを特徴とする画像データ補間方法。
【請求項６】  上記請求項５に記載の画像データ補間方法において、上記色調対応画素補間工程では、肌色の色領域の画像を滑らかな感じにすることを特徴とする画像データ補間方法。
【請求項７】  上記請求項５または請求項６のいずれかに記載の画像データ補間方法において、上記色調対応画素補間工程では、青空の色領域の画像を滑らかな感じにすることを特徴とする画像データ補間方法。
【請求項８】  上記請求項１〜請求項７のいずれかに記載の画像データ補間方法において、上記色調対応画素補間工程では、補間画素を生成するに必要な領域画素の平均的な色調に基づいて補間処理を判断することを特徴とする画像データ補間方法。
【請求項９】  上記請求項１〜請求項７のいずれかに記載の画像データ補間方法において、上記色調対応画素補間工程では、注目画素を決めて画像データを走査しながら補間処理を実行するとともに、その注目画素の色調に基づいて補間処理を判断することを特徴とする画像データ補間方法。
【請求項１０】  上記請求項１〜請求項９のいずれかに記載の画像データ補間方法において、上記色調対応画素補間工程では、色領域と実行する補間処理との対応付けを指定可能としていることを特徴とする画像データ補間方法。
【請求項１１】  カラーの自然画像を複数の画素で表現した画像データを取得する画像データ取得手段と、
シャープさに影響を与える複数の補間処理と色調によって適度なシャープさとなるような色調と補間処理との対応関係を取得する補間処理選択基準取得手段と、
補間される画素の色調に基づいて上記補間処理選択基準取得工程にて対応する補間処理を取得して実行する画素補間手段と、
補間された画像データを出力する画像データ出力手段とを具備することを特徴とする画像データ補間装置。
【請求項１２】  カラーの自然画像を複数の画素で表現した画像データに基づいてコンピュータにて画素補間する画像データ補間プログラムを記録した媒体であって、
上記画像データを取得する画像データ取得ステップと、
シャープさに影響を与える複数の補間処理と色調によって適度なシャープさとなるような色調と補間処理とを対応づけるとともに、補間される画素の色調に基づいてこの対応関係から選択される所定の補間処理を実行する色調対応画素補間ステップと、
補間された画像データを出力する画像データ出力ステップとを具備することを特徴とする画像データ補間プログラムを記録した媒体。
【手続補正２】
【補正対象書類名】明細書
【補正対象項目名】０００６
【補正方法】変更
【補正の内容】
【０００６】
上記目的を達成するため、請求項１にかかる発明は、カラーの自然画像を複数の画素で表現した画像データを取得する画像データ取得工程と、シャープさに影響を与える複数の補間処理と色調によって適度なシャープさとなるような色調と補間処理とを対応づけるとともに、補間される画素の色調に基づいてこの対応関係から選択される所定の補間処理を実行する色調対応画素補間工程と、補間された画像データを出力する画像データ出力工程とを実行する構成としてある。
【手続補正３】
【補正対象書類名】明細書
【補正対象項目名】０００９
【補正方法】変更
【補正の内容】
【０００９】
補間される画素の色調に基づいて補間処理を対応づける手法は各種のものを採用可能である。その一例として、請求項２にかかる発明は、上記請求項１に記載の画像データ補間方法において、上記色調対応画素補間工程では、シャープさに影響を与える複数の補間処理と色調によって適度なシャープさとなるような色調と補間処理との対応関係を取得する補間処理選択基準取得工程と、補間される画素の色調に基づいて上記補間処理選択基準取得工程にて対応する補間処理を取得して実行する画素補間工程とを実行する構成としてある。
【手続補正４】
【補正対象書類名】明細書
【補正対象項目名】００２３
【補正方法】変更
【補正の内容】
【００２３】
このように、補間される画素の色調に基づいて所定の補間処理を選択して実行すると、その色調に対応したシャープさとなるように画素が補間されるようにする手法は実体のある装置において実現され、その意味で本発明を実体のある装置としても適用可能であることは容易に理解できる。このため、請求項１１にかかる発明は、カラーの自然画像を複数の画素で表現した画像データを取得する画像データ取得手段と、シャープさに影響を与える複数の補間処理と色調によって適度なシャープさとなるような色調と補間処理との対応関係を取得する補間処理選択基準取得手段と、補間される画素の色調に基づいて上記補間処理選択基準取得工程にて対応する補間処理を取得して実行する画素補間手段と、補間された画像データを出力する画像データ出力手段とを具備する構成としてある。
【手続補正５】
【補正対象書類名】明細書
【補正対象項目名】００２５
【補正方法】変更
【補正の内容】
【００２５】
その一例として、請求項１２にかかる発明は、カラーの自然画像を複数の画素で表現した画像データに基づいてコンピュータにて画素補間する画像データ補間プログラムを記録した媒体であって、上記画像データを取得する画像データ取得ステップと、シャープさに影響を与える複数の補間処理と色調によって適度なシャープさとなるような色調と補間処理とを対応づけるとともに、補間される画素の色調に基づいてこの対応関係から選択される所定の補間処理を実行する色調対応画素補間ステップと、補間された画像データを出力する画像データ出力ステップとを具備する構成としてある。